(57)【要約】【課題】安定的に無線通信を行うことができる電子機器を提供する。【解決手段】本発明の電子機器は、筐体１２、記憶機構１５、プリント配線板２２、アンテナ素子２４、部品１４、１６、２３、４２を具備する。記憶機構１５およびプリント配線板２２は、筐体１２の内部に収容される。アンテナ素子２４は、プリント配線板２２に実装されるとともに、無線通信を行う。部品１４、１６、２３、４２は、アンテナ素子による無線通信に悪影響を及ぼす。プリント配線板２２は、部品１４、１６、２３、４２と向かい合う第１の面２２Ａと、第１の面２２Ａとは反対側の第２の面２２Ｂと、を有する。アンテナ素子２４は、第２の面２２Ｂに実装される。【選択図】図２
2008061109.tif 000002
【特許請求の範囲】
【請求項１】
筐体と、
前記筐体の内部に収容される記憶機構と、
前記筐体の内部に収容されるプリント配線板と、
前記プリント配線板に実装されるとともに、無線通信を行うアンテナ素子と、
前記アンテナ素子による無線通信に悪影響を及ぼす部品と、
を具備し、
前記プリント配線板は、
前記部品に近接する第１の面と、
前記第１の面とは反対側の第２の面と、
を有し、
前記アンテナ素子は、前記第２の面に実装されることを特徴とする電子機器。
【請求項２】
前記部品は、前記アンテナ素子との間で信号をやりとりする信号線であることを特徴とする請求項１に記載の電子機器。
【請求項３】
前記プリント配線板の前記第２の面は、前記アンテナ素子に接続される第１のグランド層を有し、この第１のグランド層は、前記アンテナ素子による無線通信の性能を向上させることを特徴とする請求項２に記載の電子機器。
【請求項４】
前記プリント配線板の前記第２の面は、前記部品に対応する第１の領域と、前記部品から外れている第２の領域と、を有し、
前記アンテナ素子は、前記第２の領域に実装されることを特徴とする請求項１に記載の電子機器。
【請求項５】
前記部品は、液晶表示装置であり、この液晶表示装置は、格子形状をなした電極を有することを特徴とする請求項４に記載の電子機器。
【請求項６】
前記部品は、前記記憶機構を操作するための手動入力装置であることを特徴とする請求項４に記載の電子機器。
【請求項７】
前記部品は、前記プリント配線板の前記第１の面に実装された主要な回路部品であることを特徴とする請求項４に記載の電子機器。
【請求項８】
筐体と、
前記筐体の内部に収容される記憶機構と、
前記筐体の内部に収容されるプリント配線板と、
前記プリント配線板に実装されるとともに、無線通信を行うアンテナ素子と、
前記プリント配線板に実装されるとともに、前記アンテナ素子による無線通信に悪影響を及ぼす部品と、
を具備し、
前記プリント配線板は、
前記部品が実装される第１の角部と、
前記第１の角部と離れている第２の角部と、
を有し、
前記アンテナ素子は、前記第２の角部に実装されることを特徴とする電子機器。
【請求項９】
前記部品は、プラグが差込まれるジャックであることを特徴とする請求項８に記載の電子機器。
【請求項１０】
厚み方向において互いに向かい合う第１の壁部および第２の壁部を有する筐体と、
前記筐体内の前記第１の壁部に寄った位置に収容されるとともに、前記第１の壁部に形成された開口に臨む液晶表示装置と、
前記筐体内の前記第２の壁部に寄った位置に収容される記憶機構と、
前記筐体内の前記液晶表示装置と前記記憶機構との間の位置に収容されるプリント配線板と、
前記プリント配線板に実装されるとともに、無線通信を行うアンテナ素子と、
を具備し、
前記記憶機構の厚み寸法は、前記液晶表示装置の厚み寸法よりも大きいことを特徴とする電子機器。
【請求項１１】
無線通信を行うアンテナ素子と、
前記アンテナ素子を駆動する無線モジュールと、
前記アンテナ素子と前記回路部品とを接続する信号線と、
前記アンテナ素子の近傍で前記信号線の途中に設けられる第１のマッチング回路と、
前記無線モジュールの近傍で前記信号線の途中に設けられる第２のマッチング回路と、
を具備し、
前記信号線は、同軸ケーブルを含み、この同軸ケーブルは、前記第１のマッチング回路と前記第２のマッチング回路とを接続することを特徴とする電気回路。
【発明の詳細な説明】
【技術分野】
【０００１】
本発明は、記憶機構を内蔵した電子機器およびこれに実装される電気回路に関する。
【背景技術】
【０００２】
例えば、記憶機構を内蔵した電子機器として、次のようなものがある。この電子機器は、筐体と、筐体の内部に収容されるプリント配線板と、ハードディスクと、バッテリと、ディスプレイと、プリント配線板に実装されるアンテナ素子と、を備えている。アンテナ素子は、筐体の厚み方向における中間部に配置している。電子機器は、このアンテナ素子により、通信相手となる他の電子機器との間で無線通信を行うことができる。
【０００３】
このような電子機器を机の上側に横置きすると、机によって無線電波が遮られることがある。このため、上記従来例では、アンテナ素子を筐体の厚み方向における中間部に配置することで、アンテナ素子と机との間に隙間を確保している。これにより、アンテナ素子から発信される電波が机によって遮断されるのを防いで、無線通信を安定化している（例えば、特許文献１参照）。
【特許文献１】特開２００３−２７３６２２号公報
【発明の開示】
【発明が解決しようとする課題】
【０００４】
しかし、電子機器の無線通信に悪影響を及ぼすものとしては、机の他にも種々存在する。上記従来の電子機器では、このような悪影響を及ぼすものに対して対応することができず、改良の余地があった。
【０００５】
本発明の目的は、アンテナ素子による無線通信に悪影響を及ぼす要因を排除して、安定的に無線通信を行うことができる電子機器を提供することにある。
【課題を解決するための手段】
【０００６】
前記目的を達成するため、本発明の一つの形態に係る電子機器は、筐体と、前記筐体の内部に収容される記憶機構と、前記筐体の内部に収容されるプリント配線板と、前記プリント配線板に実装されるとともに、無線通信を行うアンテナ素子と、前記アンテナ素子による無線通信に悪影響を及ぼす部品と、を具備し、前記プリント配線板は、前記部品に近接する第１の面と、前記第１の面とは反対側の第２の面と、を有し、前記アンテナ素子は、前記第２の面に実装される。
【０００７】
前記目的を達成するため、本発明の他の形態に係る電子機器は、筐体と、前記筐体の内部に収容される記憶機構と、前記筐体の内部に収容されるプリント配線板と、前記プリント配線板に実装されるとともに、無線通信を行うアンテナ素子と、前記プリント配線板に実装されるとともに、前記アンテナ素子による無線通信に悪影響を及ぼす部品と、を具備し、前記プリント配線板は、前記部品が実装される第１の角部と、前記第１の角部と離れている第２の角部と、を有し、前記アンテナ素子は、前記第２の角部に実装される。
【０００８】
前記目的を達成するため、本発明の他の形態に係る電子機器は、厚み方向において互いに向かい合う第１の壁部および第２の壁部を有する筐体と、前記筐体内の前記第１の壁部に寄った位置に収容されるとともに、前記第１の壁部に形成された開口に臨む液晶表示装置と、前記筐体内の前記第２の壁部に寄った位置に収容される記憶機構と、前記筐体内の前記液晶表示装置と前記記憶機構との間の位置に収容されるプリント配線板と、前記プリント配線板に実装されるとともに、無線通信を行うアンテナ素子と、を具備し、前記記憶機構の厚み寸法は、前記液晶表示装置の厚み寸法よりも大きい。
【０００９】
前記目的を達成するため、本発明の一つの形態に係る電気回路は、アンテナ素子と、前記アンテナ素子を駆動する無線モジュールと、前記アンテナ素子と前記回路部品とを接続する信号線と、前記アンテナ素子の近傍で前記配線の途中に設けられる第１のマッチング回路と、前記無線モジュールの近傍で前記配線の途中に設けられる第２のマッチング回路と、を具備し、前記信号線は、同軸ケーブルを含み、この同軸ケーブルは、前記第１のマッチング回路と前記第２のマッチング回路とを接続する。
【発明の効果】
【００１０】
本発明によれば、安定的に無線通信を行うことが可能な電子機器を提供できる。
【発明を実施するための最良の形態】
【００１１】
以下に、図１から図７を参照して、電子機器の一例である携帯型記憶装置の実施形態について説明する。
【００１２】
図１から図３に示すように、携帯型記憶装置１１は、筐体１２、プリント回路板１３、液晶表示装置１４、ハードディスク装置１５、手動入力装置１６、および電池１７を備えている。筐体１２は、樹脂により扁平な箱型に形成されている。筐体１２は、厚み方向に２分割された第１の半部１２Ａと、第２の半部１２Ｂとを有している。図２に示すように、筐体１２は、厚み方向において互いに向かい合う第１の壁部１２Ｃと第２の壁部１２Ｄとを有している。第１の壁部１２Ｃは、液晶表示装置１４を外部に露出させるための開口１２Ｅを有している。筐体１２は、例えば、幅寸法Ｗが６０ｍｍ、奥行き寸法Ｌが１１０ｍｍ、および厚み寸法Ｔが１６ｍｍで形成されている。筐体１２の肉厚は、例えば１ｍｍである。
【００１３】
記憶機構の一例であるハードディスク装置１５は、筐体１２の内部で、第２の壁部１２Ｄに寄った位置に収容されている。ハードディスク装置１５は、金属製の扁平なハウジングと、ハウジング内に収容されるディスクと、磁気ヘッドを有するキャリッジと、を有している。ハードディスク装置１５の厚み寸法Ａは、例えば、５ｍｍである。もっとも、記憶機構としては、ハードディスク装置１５に限られるものではない。記憶機構は、データ不揮発性のＩＣメモリであるフラッシュメモリ等であってもよい。
【００１４】
電池１７は、携帯型記憶装置１１の電源として機能する。電池１７の厚み寸法Ｂは、例えば、９ｍｍである。
【００１５】
液晶表示装置１４は、後述するアンテナ素子２４による無線通信に悪影響を及ぼす部品の一例である。液晶表示装置１４は、筐体１２の内部で、第１の壁部１２Ｃに寄った位置に収容される。液晶表示装置１４は、第１の壁部１２Ｃの開口１２Ｅに臨んでいる。液晶表示装置１４は、図示省略したが、例えば、ガラス基板、偏向板、液晶層、カラーフィルタ、バックライト、および透明電極などを有している。透明電極は、例えば、インジウムスズ酸化物（ＩＴＯ：Indium-tin-oxide）で形成される。透明電極は、複数の配線が縦方向に延びている第１の部分と、複数の配線が横方向に延びている第２の部分とを有している。このため、透明電極は、全体として格子形状をなしており、電波吸収性を有する。液晶表示装置１４は、後述するプリント配線板２２の第１の面２２Ａに近接している。液晶表示装置１４の厚み寸法Ｃは、例えば、３ｍｍである。このため、前記ハードディスク装置１５の厚み寸法Ａは、液晶表示装置１４の厚み寸法Ｃよりも大きくなっている。
【００１６】
手動入力装置１６は、後述するアンテナ素子２４による無線通信に悪影響を及ぼす部品の一例である。手動入力装置１６は、記憶機構であるハードディスク装置１５を操作するために用いられる。手動入力装置１６は、例えば、複数の入力用ボタン２１を有している。ユーザが入力用ボタン２１を操作すると、ハードディスク装置１５に対して、データの記録およびデータの読み出しなどを指示できる。手動入力装置１６の周囲に位置する筐体１２の一部は、ユーザが使用する際に把持する部分になる。手動入力装置１６は、プリント配線板２２の後述する第１の面２２Ａに近接している。手動入力装置１６の厚み寸法Ｄは、例えば、４ｍｍである。
【００１７】
図４に示すように、プリント回路板１３は、筐体１２の内部で、液晶表示装置１４と記憶機構であるハードディスク装置１５との間の位置に収容されている。プリント回路板１３は、プリント配線板２２と、プリント配線板２２に実装された主要な回路部品２３と、プリント配線板２２に実装されたアンテナ素子２４と、イヤホン用のプラグが差し込まれるジャック２５と、を備えている。
【００１８】
図５に示すように、プリント配線板２２は、方形の板状に形成されている。プリント配線板２２は、液晶表示装置１４、手動入力装置１６、および主要な回路部品２３に近接する第１の面２２Ａと、第１の面２２Ａとは反対側の第２の面２２Ｂとを有している。プリント配線板２２の第２の面２２Ｂは、液晶表示装置１４に対応する第１の領域２６Ａと、液晶表示装置１４から外れている第２の領域２６Ｂと、を有している。また、プリント配線板２２の第２の面２２Ｂは、手動入力装置１６に対応する第１の領域２７Ａと、手動入力装置１６から外れている第２の領域２７Ｂと、を有している。さらに、プリント配線板２２の第２の面２２Ｂは、主要な回路部品２３に対応する第１の領域２８Ａと、主要な回路部品２３から外れている第２の領域２８Ｂと、を有している。プリント配線板２２は、第１の角部２２Ｃと、第１の角部２２Ｃと離れている第２の角部２２Ｄとを有している。
【００１９】
プリント配線板２２の厚み寸法Ｅは、例えば０．８ｍｍである。プリント配線板２２は、さらに、上記電池１７を通すための開口部２２Ｅを有している。この携帯型記憶装置１１では、開口部２２Ｅに電池１７が通されて薄型化が図られている。開口部２２Ｅに通された電池１７は、プリント配線板２２を、主要な回路部品２３が実装される部分と、アンテナ素子２４が実装される部分とに分断する。これにより、主要な回路部品２３からアンテナ素子２４が隔離され、主要な回路部品２３から生ずる不必要な電磁波の輻射からアンテナ素子２４を守ることができる。
【００２０】
プリント配線板２２は、さらに、アンテナ素子２４に接続される第１のグランド層３１と、主要な回路部品２３が実装される部分に対応する第２のグランド層３２とを備えている。この第１のグランド層３１は、第２のグランド層３２から独立している。第１のグランド層３１と、第２のグランド層３２とは、いずれも銅薄膜により構成されている。第１のグランド層３１は、アンテナ素子２４から発信された電波の一部を外部に輻射しており、アンテナ素子２４の無線通信の性能を向上させている。
【００２１】
ジャック２５は、アンテナ素子２４による無線通信に悪影響を及ぼす部品の一例である。ジャック２５は、プリント配線板２２の第２の面２２Ｂの前記第１の角部２２Ｃに実装されている。ジャック２５は、例えば円筒形状に形成されている。ジャック２５は、金属部品を含んでおり、電波吸収性を有する。筐体１２は、ジャック２５の近傍に貫通孔３３を有しており、ジャック２５を外部に露出させている。
【００２２】
主要な回路部品２３は、アンテナ素子２４による無線通信に悪影響を及ぼす部品の一例である。図４に示すように、主要な回路部品２３は、例えば、ＣＰＵ３４と、ＲＯＭ（Read Only Memory）３５と、ＲＡＭ（Random Access Memory）３６と、アンテナ素子２４の無線通信を駆動するための無線モジュール３７と、その他の回路部品３８などを含んでいる。本実施形態では、無線モジュール３７は、ワイヤレスランチップ（Ｗ−ＬＡＮチップ）で構成される。ＣＰＵ３４、ＲＯＭ３５、ＲＡＭ３６、無線モジュール３７、およびその他の回路部品３８は、図示しない複数の配線によって互いに電気的に接続されている。ＣＰＵ３４、ＲＯＭ３５、ＲＡＭ３６、無線モジュール３７、その他の回路部品３８は、携帯型記憶装置１１の電源がオンとなった状態において、互いに膨大な量の制御データ、タイミングをとるためのクロック信号、およびＲＡＭ３６のアドレスなどをやり取りする。このため、主要な回路部品２３から電磁波が発生し、この電磁波は、アンテナ素子２４の無線通信に悪影響を及ぼす可能性がある。
【００２３】
アンテナ素子２４は、無線通信用の電波を送受信するチップ部品である。アンテナ素子２４は、プリント配線板２２の第２の面２２Ｂの前記第２の角部２２Ｄに実装されている。また、アンテナ素子２４は、第２の面２２Ｂの第２の領域２６Ｂ、２７Ｂ、２８Ｂに相当する位置に実装されている。このため、アンテナ素子２４は、液晶表示装置１４、手動入力装置１６、および主要な回路部品２３から外れた位置に配置されており、これらによる悪影響から逃れている。
【００２４】
また、アンテナ素子２４は、ハードディスク装置１５や、電池１７からも外れた位置に配置している。このため、アンテナ素子２４で送受信される電波が、ハードディスク装置１５や、電池１７によって吸収されることがない。アンテナ素子２４により、ホットスポットと呼ばれるアクセスポイントの近くでインターネットに接続したり、携帯型記憶装置１１同士で、例えば、映像データや音楽データなどを交換したりすることができる。
【００２５】
また、プリント配線板２２には、電気回路４１が実装されている。図６に示すように、この電気回路４１は、上記アンテナ素子２４と、上記無線モジュール３７と、アンテナ素子２４と無線モジュール３７とを接続するための信号線４２と、アンテナ素子２４の近傍で信号線４２の途中に設けられる第１のマッチング回路４３と、無線モジュール３７の近傍で信号線４２の途中に設けられる第２のマッチング回路４４と、を有している。信号線４２は、アンテナ素子２４との間で信号をやりとりして、その信号を無線モジュール３７に伝達することができる。
【００２６】
信号線４２は、アンテナ素子２４による無線通信に悪影響を及ぼす部品の一例である。信号線４２は、同軸ケーブル４５を含んでいる。同軸ケーブル４５は、第１のマッチング回路４３と、第２のマッチング回路４４とを接続している。同軸ケーブル４５は、金属部品を含んでおり、アンテナ素子２４によって送受信される電波を吸収する性質を有する。同軸ケーブル４５は、その一端において、コネクタ４６を介して第１のマッチング回路４３に接続されている。また、同軸ケーブル４５は、その他端において、コネクタ４７を介して第２のマッチング回路４４に接続されている。同軸ケーブル４５は、プリント配線板２２の第１の面２２Ａに実装されており、第１の面２２Ａに近接している。同軸ケーブル４５は、無線モジュール３７とアンテナ素子２４との間で、周囲に電磁波が漏洩することを防止する。
【００２７】
第１のマッチング回路４３および第２のマッチング回路４４は、電気回路４１全体のインピーダンスを例えば５０Ωに整合する。本実施形態では、マッチング回路が２箇所に設けられているため、電気回路４１全体のインピーダンスの整合がより厳密になされる。上記したアンテナ素子２４は、信号線４２が設けられる第１の面２２Ａとは反対側の第２の面２２Ｂに配置されており、信号線４２による悪影響から逃れている。
【００２８】
携帯型記憶装置１１から電波を発信する際には、無線モジュール３７は、アンテナ素子２４に向けて信号を送信する。この信号は、第２のマッチング回路４４、コネクタ４７、同軸ケーブル４５、コネクタ４６、および第１のマッチング回路４３を経由して、アンテナ素子２４に伝達される。そして、この信号は、アンテナ素子２４およびこれに連なる第１のグランド層３１において、電波として外部に輻射される。
【００２９】
一方、携帯型記憶装置１１が外部から電波を受信する際には、アンテナ素子２４で受信した信号は、第１のマッチング回路４３、コネクタ４６、同軸ケーブル４５、コネクタ４６、および第２のマッチング回路４４を経由して、無線モジュール３７に伝達される。これにより、携帯型記憶装置１１は、外部から音楽データや画像データを受信することができる。その際、電気回路４１のインピーダンスが厳密に整合されているため、受信した信号がロスなく無線モジュール３７に伝達される。
【００３０】
続いて、図２と図７を参照して、この携帯型記憶装置１１の使用状態について説明する。この携帯型記憶装置１１を机の天板５１上に置いて使用する際には、通常ユーザは、図２に示すように、液晶表示装置１４を上側にして天板５１上に置いて使用する。そして、液晶表示装置１４に表示される画面を見ながら、手動入力装置１６を操作する。
【００３１】
本実施形態では、ハードディスク装置１５の厚み寸法Ａは、液晶表示装置１４の厚み寸法Ｃよりも大きいため、プリント配線板２２は、筐体１２の厚み寸法Ｔにおける中間部よりも上側に配置している。このため、プリント配線板２２に実装されたアンテナ素子２４と天板５１との間には、所定長の隙間Ｓが確保される。これにより、アンテナ素子２４を天板５１から離れた位置に配置して、無線通信を安定化することができる。
【００３２】
図７に示すように、ユーザが携帯型記憶装置１１を手で持った状態で、これを使用する場合には、携帯型記憶装置１１は、手動入力装置１６の付近の筐体１２の一部が手によって把持される。アンテナ素子２４は、プリント配線板２２の第２の面２２Ｂで、手動入力装置１６から外れている第２の領域２７Ｂに配置されている。このため、ユーザの手によって、アンテナ素子２４の無線通信が妨げられることが回避されている。
【００３３】
なお、本実施形態では、図５に示すように、ジャック２５は、第２の角部２２Ｄに隣接する第１の角部２２Ｃに設けられているが、これに限定されるものではない。ジャック２５は、第２の角部２２Ｄとは対角の位置にある角部２２Ｆに実装してもよい。
【００３４】
以上が、携帯型記憶装置１１の実施形態である。本実施形態によれば、アンテナ素子２４は、無線通信に悪影響を及ぼす部品に近接している第１の面２２Ａとは反対側の第２の面２２Ｂに実装されている。このため、この部品の影響を低減して、アンテナ素子２４による無線通信を安定的に行うことができる。
【００３５】
この場合、上記部品は、アンテナ素子２４との間で信号をやりとりする信号線４２、つまり同軸ケーブル４５である。このため、同軸ケーブル４５とアンテナ素子２４とをプリント配線板２２の同じ面に実装すると、信号線４２自体や同軸ケーブル４５の金属部品によってアンテナ素子２４が送受信する電波が吸収されることになるが、この構成によれば、アンテナ素子２４の送受信する電波がこれらによって吸収されてしまうことを防止できる。
【００３６】
プリント配線板２２の第２の面２２Ｂは、アンテナ素子２４に接続される第１のグランド層３１を有し、この第１のグランド層３１は、アンテナ素子２４による無線通信の性能を向上させる。この構成によれば、アンテナ素子２４により送信される電波の輻射性能の向上を図り、無線通信の特性を良好にできる。また、第１のグランド層３１は、信号線４２に近接している第１の面２２Ａとは反対側の第２の面２２Ｂに設けられるため、この信号線４２によって第１のグランド層３１の効果が妨げられることを防止できる。さらに、第１のグランド層３１は、同軸ケーブル４５の裏側の位置に設けられるため、プリント配線板２２上に別途に設置スペースを設ける必要がなく、プリント配線板２２上のレイアウトを効率的に行うことができる。
【００３７】
プリント配線板２２の第２の面２２Ｂは、上記部品に対応する第１の領域２６Ａ、２７Ａ、２８Ａと、上記部品から外れている第２の領域２６Ｂ、２７Ｂ、２８Ｂとを有し、アンテナ素子２４は、第２の領域２６Ｂ、２７Ｂ、２８Ｂに実装される。この構成によれば、無線通信に悪影響を及ぼす部品から離れた位置にアンテナ素子２４を実装することができる。
【００３８】
この場合、上記部品は、液晶表示装置１４であり、この液晶表示装置１４は、格子形状をなした電極を有している。この構成によれば、アンテナ素子２４を、液晶表示装置１４から外れている第２の領域２６Ｂに配置できる。このため、液晶表示装置１４の電波吸収性によってアンテナ素子２４の無線通信が妨げられることを防いで、無線通信を安定化できる。
【００３９】
この場合、上記部品は、記憶機構であるハードディスク装置１５を操作するための手動入力装置１６である。よって、アンテナ素子２４は、手動入力装置１６から外れている第２の領域２７Ｂに配置される。ユーザは、手動入力装置１６周りの筐体１２の一部を把持して携帯型記憶装置１１を使用する。一般に、人体は、電波吸収性を有することが知られている。上記構成によれば、アンテナ素子２４をユーザが把持する領域から外れた位置に配置することができる。これにより、ユーザの手が、アンテナ素子２４の無線通信に対して悪影響を及ぼす事態を防止できる。
【００４０】
この場合、上記部品は、プリント配線板２２の第１の面２２Ａに実装された主要な回路部品２３である。よって、アンテナ素子２４は、主要な回路部品２３から外れている第２の領域２８Ｂに配置される。この構成によれば、主要な回路部品２３から発信される電磁波の影響によって、無線通信が乱されることを回避して、アンテナ素子２４による無線通信を安定化できる。
【００４１】
ジャック２５は、プリント配線板２２の第１の角部２２Ｃに実装されるとともに、アンテナ素子２４は、プリント配線板２２の第２の角部２２Ｄに実装される。この構成によれば、アンテナ素子２４の周囲には、自由空間が確保されるため、アンテナ素子２４による無線の通信特性を良好にできる。また、電波吸収性のある金属製のジャック２５をアンテナ素子２４から極力遠い位置に配置することができる。これにより、ジャック２５が、アンテナ素子２４の無線通信に悪影響を及ぼす事態を回避できる。
【００４２】
液晶表示装置１４は、筐体１２内の第１の壁部１２Ｃに寄った位置に収容され、ハードディスク装置１５は、筐体１２内の第２の壁部１２Ｄに寄った位置に収容されるとともに、プリント配線板２２は、筐体１２内の液晶表示装置１４とハードディスク装置１５との間の位置に収容される。また、ハードディスク装置１５の厚み寸法は、液晶表示装置１４の厚み寸法よりも大きい。これらの構成によれば、液晶表示装置１４を上側に、ハードディスク装置１５を下側にして、携帯型記憶装置１１を机の天板５１に載置して使用する際に、アンテナ素子２４を天板５１から離れた位置に配置することができる。これにより、机の天板５１による電波吸収の影響を排除して、アンテナ素子２４による無線通信を安定化できる。
【００４３】
電気回路４１は、アンテナ素子２４の近傍で信号線４２の途中に設けられる第１のマッチング回路４３と、無線モジュール３７の近傍で信号線４２の途中に設けられる第２のマッチング回路４４と、を具備している。この構成によれば、アンテナ素子２４の近傍と、無線モジュール３７の近傍との２箇所に第１および第２のマッチング回路４３、４４が設けられるため、電気回路４１のインピーダンスの整合を厳密かつ容易に行うことができる。これにより、信号線４２を通る信号の電損ロスを低減することができる。また、信号線４２は、これらを接続する同軸ケーブル４５を含み、同軸ケーブル４５は、第１のマッチング回路４３と第２のマッチング回路４４とを接続する。この構成によれば、第１のマッチング回路４３と第２のマッチング回路４４との間で、外部に電磁波が漏れ出してしまうことを防止できる。これにより、アンテナ素子２４による無線通信性能を向上できる。
【００４４】
本発明の電子機器および電気回路は、携帯型記憶装置用に限らず、例えば携帯電話機やポータブルコンピュータのようなその他の電子機器に対しても実施可能である。その他、電子機器および電気回路は、発明の要旨を逸脱しない範囲で種々変形して実施できることは勿論である。
【図面の簡単な説明】
【００４５】
【図１】本発明の第１の実施形態に係る携帯型記憶装置を示す斜視図。
【図２】図１に示す携帯型記憶装置を示す断面図。
【図３】図２に示す携帯型記憶装置をＦ３−Ｆ３線の位置で切断して示す断面図。
【図４】図２に示す携帯型記憶装置をＦ４−Ｆ４線の位置で切断して示す断面図。
【図５】図２に示す携帯型記憶装置をＦ５−Ｆ５線の位置で切断して示す断面図。
【図６】図１に示す携帯型記憶装置のプリント配線板に実装される電気回路を示すブロック図。
【図７】図１に示す携帯型記憶装置の使用状態を示す斜視図。
【符号の説明】
【００４６】
Ａ…厚み寸法、Ｃ…厚み寸法、１１…携帯型記憶装置、１２…筐体、１２Ｃ…第１の壁部、１２Ｄ…第２の壁部、１２Ｅ…開口、１４…液晶表示装置、１５…ハードディスク装置、１６…手動入力装置、１７…電池、２２…プリント配線板、２２Ａ…第１の面、２２Ｂ…第２の面、２２Ｃ…第１の角部、２２Ｄ…第２の角部、２３…主要な回路部品、２４…アンテナ素子、２５…ジャック、２６Ａ、２７Ａ、２８Ａ…第１の領域、２６Ｂ、２７Ｂ、２８Ｂ…第２の領域、３１…第１のグランド層、３７…無線モジュール、４１…電気回路、４２…信号線、４３…第１のマッチング回路、４４…第２のマッチング回路、４５…同軸ケーブル
【図１】
2008061109.tif 000003
【図２】
2008061109.tif 000004
【図３】
2008061109.tif 000005
【図４】
2008061109.tif 000006
【図５】
2008061109.tif 000007
【図６】
2008061109.tif 000008
【図７】
2008061109.tif 000009